【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
第１の記憶デバイスと、ジョブデータに対して模擬処理を行う模擬画像処理部を有するユーザー端末と、
第２の記憶デバイスと、前記ジョブデータに対して画像処理を行う画像処理部を有する画像形成装置と、
第３の記憶デバイスを有し、前記ユーザー端末から受け取ったジョブデータを記憶デバイスに登録した後、前記ジョブデータを前記画像形成装置に送信する中継装置とを備え、
前記ユーザー端末は、前記第１の記憶デバイスに記憶されている前記ジョブデータに対する第１の情報を前記中継装置に送信し、
前記画像形成装置は、前記中継装置から受け取った前記ジョブデータを前記第２の記憶デバイスに登録し、前記ジョブデータに対する第２の情報を前記中継装置に送信し、
前記中継装置は、
前記第１の情報と前記第２の情報とを比較し、データ量に差が有ると判断すれば前記第３の記憶デバイスに、前記模擬画像処理部又は前記画像処理部での画像処理に不具合があることを示す不具合情報を登録する
ことを特徴とするデータ送信システム。
【請求項２】
前記ユーザー端末は、前記模擬画像処理部が前記ジョブデータに対して前記模擬処理を行った際の第１のデータ量を示す第１のジョブデータ情報を前記第１の情報として前記中継装置に送信し、
前記画像形成装置は、前記画像処理部が前記ジョブデータに対して前記画像処理を行った際の第２のデータ量を示す第２のジョブデータ情報を前記第２の情報として前記中継装置に送信し、
前記中継装置は、前記第１のジョブデータ情報が示す第１のデータ量と前記第２のジョブデータ情報が示す第２のデータ量との差が特定の差を超えていれば前記データ量に差が有ると判断する
ことを特徴とする請求項１に記載のデータ送信システム。
【請求項３】
前記ユーザー端末は、前記第１の記憶デバイスに加わる振動を検知する第１の振動検知センサーをさらに有し、前記ジョブデータを操作したときの前記第１の振動検知センサーによる検知結果を示す第１の振動検知情報を前記第１の情報として前記中継装置に送信し、
前記画像形成装置は、前記第２の記憶デバイスに加わる振動を検知する第２の振動検知センサーをさらに有し、前記ジョブデータを操作したときの前記第２の振動検知センサーによる検知結果を示す第２の振動検知情報を前記第２の情報として前記中継装置に送信し、
前記中継装置は、前記第１の振動検知情報と前記第２の振動検知情報とを比較し、前記第１の振動検知情報と前記第２の振動検知情報との差が特定の差を超えていれば、前記データ量に差があると判断する
ことを特徴とする請求項１に記載のデータ送信システム。
【請求項４】
前記中継装置は、前記画像処理部による画像処理に必要な設定情報を取得して前記ユーザー端末に送信し、
前記模擬画像処理部は、前記設定情報に基づき、前記ジョブデータに対して模擬処理を実行する
ことを特徴とする請求項１〜３のいずれかに記載のデータ送信システム。
【請求項５】
前記第３の記憶デバイスは、
前記ジョブデータ、前記第１の情報、及び前記第２の情報を登録するジョブデータ情報データベースと、
前記不具合情報を登録する不具合情報データベースとを有する
ことを特徴とする請求項１〜４のいずれかに記載のデータ送信システム。
【請求項６】
第１の記憶デバイスと模擬画像処理部とを有するユーザー端末と、第２の記憶デバイスと画像処理部とを有する画像形成装置と、第３の記憶デバイスを有する中継装置とを備えるデータ送信システムによって実行されるデータ送信方法であって、
ユーザー端末により、ジョブデータを送信する工程と、
前記ユーザー端末により、前記第１の記憶デバイスに記憶されている前記ジョブデータに対する第１の情報を前記中継装置に送信する工程と、
中継装置により、前記ユーザー端末から受け取ったジョブデータを前記第３の記憶デバイスに登録した後、前記ジョブデータを画像形成装置に送信する工程と、
画像形成装置により、前記中継装置から受け取った前記ジョブデータを前記第２の記憶デバイスに登録し、画像処理部が前記ジョブデータに対する第２の情報を前記中継装置に送信する工程とを有し、
前記中継装置は、
前記第１の情報と前記第２の情報とを比較し、データ量に差が有ると判断すれば前記第３の記憶デバイスに、前記模擬画像処理部又は前記画像処理部での画像処理に不具合があることを示す不具合情報を登録する
ことを特徴とするデータ送信方法。
【請求項７】
前記ユーザー端末は、前記模擬画像処理部が前記ジョブデータに対して前記模擬処理を行った際の第１のデータ量を示す第１のジョブデータ情報を前記第１の情報として前記中継装置に送信し、
前記画像形成装置は、前記画像処理部が前記ジョブデータに対して前記画像処理を行った際の第２のデータ量を示す第２のジョブデータ情報を前記第２の情報として前記中継装置に送信し、
前記中継装置は、前記第１のジョブデータ情報が示す第１のデータ量と前記第２のジョブデータ情報が示す第２のデータ量との差が特定の差を超えていれば前記データ量に差が有ると判断することを特徴とする請求項６に記載のデータ送信方法。
【請求項８】
前記ユーザー端末は、前記第１の記憶デバイスに加わる振動を検知する第１の振動検知センサーをさらに有し、前記ジョブデータを操作したときの前記第１の振動検知センサーによる検知結果を示す第１の振動検知情報を前記第１の情報として前記中継装置に送信し、
前記画像形成装置は、前記第２の記憶デバイスに加わる振動を検知する第２の振動検知センサーをさらに有し、前記ジョブデータを操作したときの前記第２の振動検知センサーによる検知結果を示す第２の振動検知情報を前記第２の情報として前記中継装置に送信し、
前記中継装置は、前記第１の振動検知情報と前記第２の振動検知情報とを比較し、前記第１の振動検知情報と前記第２の振動検知情報との差が特定の差を超えていれば、前記データ量に差があると判断する
ことを特徴とする請求項６に記載のデータ送信方法。
【請求項９】
前記中継装置は、前記画像処理部による画像処理に必要な設定情報を取得して前記ユーザー端末に送信し、
前記模擬画像処理部は、前記設定情報に基づき、前記ジョブデータに対して模擬処理を実行する
ことを特徴とする請求項６〜８のいずれかに記載のデータ送信方法。
【手続補正２】
【補正対象書類名】明細書
【補正対象項目名】０００９
【補正方法】変更
【補正の内容】
【０００９】
本発明の画像形成装置は、第１の記憶デバイスと、ジョブデータに対して模擬処理を行う模擬画像処理部を有するユーザー端末と、第２の記憶デバイスと、前記ジョブデータに対して画像処理を行う画像処理部を有する画像形成装置と、第３の記憶デバイスを有し、前記ユーザー端末から受け取ったジョブデータを記憶デバイスに登録した後、前記ジョブデータを前記画像形成装置に送信する中継装置とを備え、前記ユーザー端末は、前記第１の記憶デバイスに記憶されている前記ジョブデータに対する第１の情報を前記中継装置に送信し、前記画像形成装置は、前記中継装置から受け取った前記ジョブデータを前記第２の記憶デバイスに登録し、前記ジョブデータに対する第２の情報を前記中継装置に送信し、前記中継装置は、前記第１の情報と前記第２の情報とを比較し、データ量に差が有ると判断すれば前記第３の記憶デバイスに、前記模擬画像処理部又は前記画像処理部での画像処理に不具合があることを示す不具合情報を登録することを特徴とする。
また、前記ユーザー端末は、前記模擬画像処理部が前記ジョブデータに対して前記模擬処理を行った際の第１のデータ量を示す第１のジョブデータ情報を前記第１の情報として前記中継装置に送信し、前記画像形成装置は、前記画像処理部が前記ジョブデータに対して前記画像処理を行った際の第２のデータ量を示す第２のジョブデータ情報を前記第２の情報として前記中継装置に送信し、前記中継装置は、前記第１のジョブデータ情報が示す第１のデータ量と前記第２のジョブデータ情報が示す第２のデータ量との差が特定の差を超えていれば前記データ量に差が有ると判断することを特徴とする。
また、前記ユーザー端末は、前記第１の記憶デバイスに加わる振動を検知する第１の振動検知センサーをさらに有し、前記ジョブデータを操作したときの前記第１の振動検知センサーによる検知結果を示す第１の振動検知情報を前記第１の情報として前記中継装置に送信し、前記画像形成装置は、前記第２の記憶デバイスに加わる振動を検知する第２の振動検知センサーをさらに有し、前記ジョブデータを操作したときの前記第２の振動検知センサーによる検知結果を示す第２の振動検知情報を前記第２の情報として前記中継装置に送信し、前記中継装置は、前記第１の振動検知情報と前記第２の振動検知情報とを比較し、前記第１の振動検知情報と前記第２の振動検知情報との差が特定の差を超えていれば、前記データ量に差があると判断することを特徴とする請求項１に記載のデータ送信システム。
また、前記中継装置は、前記画像処理部による画像処理に必要な設定情報を取得して前記ユーザー端末に送信し、前記模擬画像処理部は、前記設定情報に基づき、前記ジョブデータに対して模擬処理を実行することを特徴とする。
また、前記第３の記憶デバイスは、前記ジョブデータ、前記第１の情報、及び前記第２の情報を登録するジョブデータ情報データベースと、前記不具合情報を登録する不具合情報データベースとを有することを特徴とする。
本発明のデータ送信方法は、第１の記憶デバイスと模擬画像処理部とを有するユーザー端末と、第２の記憶デバイスと画像処理部とを有する画像形成装置と、第３の記憶デバイスを有する中継装置とを備えるデータ送信システムによって実行されるデータ送信方法であって、ユーザー端末により、ジョブデータを送信する工程と、前記ユーザー端末により、前記第１の記憶デバイスに記憶されている前記ジョブデータに対する第１の情報を前記中継装置に送信する工程と、中継装置により、前記ユーザー端末から受け取ったジョブデータを前記第３の記憶デバイスに登録した後、前記ジョブデータを画像形成装置に送信する工程と、画像形成装置により、前記中継装置から受け取った前記ジョブデータを前記第２の記憶デバイスに登録し、画像処理部が前記ジョブデータに対する第２の情報を前記中継装置に送信する工程とを有し、前記中継装置は、前記第１の情報と前記第２の情報とを比較し、データ量に差が有ると判断すれば前記第３の記憶デバイスに、前記模擬画像処理部又は前記画像処理部での画像処理に不具合があることを示す不具合情報を登録することを特徴とする。
また、前記ユーザー端末は、前記模擬画像処理部が前記ジョブデータに対して前記模擬処理を行った際の第１のデータ量を示す第１のジョブデータ情報を前記第１の情報として前記中継装置に送信し、前記画像形成装置は、前記画像処理部が前記ジョブデータに対して前記画像処理を行った際の第２のデータ量を示す第２のジョブデータ情報を前記第２の情報として前記中継装置に送信し、前記中継装置は、前記第１のジョブデータ情報が示す第１のデータ量と前記第２のジョブデータ情報が示す第２のデータ量との差が特定の差を超えていれば前記データ量に差が有ると判断することを特徴とする。
また、前記ユーザー端末は、前記第１の記憶デバイスに加わる振動を検知する第１の振動検知センサーをさらに有し、前記ジョブデータを操作したときの前記第１の振動検知センサーによる検知結果を示す第１の振動検知情報を前記第１の情報として前記中継装置に送信し、前記画像形成装置は、前記第２の記憶デバイスに加わる振動を検知する第２の振動検知センサーをさらに有し、前記ジョブデータを操作したときの前記第２の振動検知センサーによる検知結果を示す第２の振動検知情報を前記第２の情報として前記中継装置に送信し、前記中継装置は、前記第１の振動検知情報と前記第２の振動検知情報とを比較し、前記第１の振動検知情報と前記第２の振動検知情報との差が特定の差を超えていれば、前記データ量に差があると判断することを特徴とする。
また、前記中継装置は、前記画像処理部による画像処理に必要な設定情報を取得して前記ユーザー端末に送信し、前記模擬画像処理部は、前記設定情報に基づき、前記ジョブデータに対して模擬処理を実行することを特徴とする。
本発明のデータ送信システム及びデータ送信方法では、中継装置が、ユーザー端末から受け取ったジョブデータを記憶デバイスに登録した後、ジョブデータを画像形成装置に送信する。画像形成装置は、画像処理部がジョブデータに対して画像処理した際のデータ量を示す第２のジョブデータ情報を中継装置に送信する。ユーザー端末は、模擬画像処理部がジョブデータに対して模擬処理した際のデータ量を示す第１のジョブデータ情報を中継装置に送信する。そして、中継装置は、第１のジョブデータ情報と第２のジョブデータ情報とを比較し、データ量に差があれば記憶デバイスに、模擬画像処理部又は画像処理部での画像処理に不具合があることを示す不具合情報を登録する。